(57)【要約】      （修正有）【課題】複数のチップを単独で収容でき、チップの表面に突出等の構造があることにより摩擦現象を防止でき、また、良い防振効果と、周りにばねを設けることで、輸送過程で貯蔵箱本体の揺れに良い緩衝効果を収めることができる、電源管理チップに用いられる貯蔵装置を提供する。【解決手段】貯蔵箱本体１の周りに緩衝装置が設けられており、緩衝装置は、接続フレームと、緩衝ばねとを備え、緩衝ばねの一端が貯蔵箱本体に接続され、他端が接続フレームに接続され、接続フレームが回字状構造を呈して設けられ、貯蔵箱本体の内部に幾つかのセパレータが設けられており、貯蔵箱本体とセパレータで幾つかの収容キャビティが形成され、収容キャビティの周りと後側にすべて中間層が設けられており、貯蔵箱本体の前側に、ヒンジ接合されるドア７が設けられている電源管理チップに用いられる貯蔵装置を開示している。【選択図】図１
0003235544.tif 000002
【実用新案登録請求の範囲】
【請求項１】
貯蔵箱本体１を備える電源管理チップに用いられる貯蔵装置であって、前記貯蔵箱本体１の周りに緩衝装置が設けられており、前記緩衝装置は、接続フレーム２と、緩衝ばね３とを備え、前記緩衝ばね３の一端が貯蔵箱本体１に接続され、他端が接続フレーム２に接続され、前記接続フレーム２が回字状構造を呈して設けられ、前記貯蔵箱本体１の内部に幾つかのセパレータ４が設けられており、前記貯蔵箱本体１とセパレータ４で幾つかの収容キャビティ５が形成され、前記収容キャビティ５の周りと後側にすべて中間層６が設けられており、前記貯蔵箱本体１の前側に、ヒンジ接合されるドア７が設けられていることを特徴とする、電源管理チップに用いられる貯蔵装置。
【請求項２】
前記貯蔵箱本体１のそれぞれの面に４組の緩衝ばね３が設けられていることを特徴とする、請求項１に記載の電源管理チップに用いられる貯蔵装置。
【請求項３】
前記接続ばね２の前後が開口状をなして設置されることを特徴とする、請求項１に記載の電源管理チップに用いられる貯蔵装置。
【請求項４】
前記貯蔵箱本体１のトップに提げ手８が設けられていることを特徴とする、請求項１に記載の電源管理チップに用いられる貯蔵装置。
【請求項５】
前記中間層６がシリカゲルにより収容キャビティ５の内部に粘着されることを特徴とする、請求項１に記載の電源管理チップに用いられる貯蔵装置。
【請求項６】
前記接続フレーム２の底部に支持ベース９が設けられており、前記支持ベース９が４組設けられ、シリカゲル材料で製作されてなることを特徴とする、請求項１に記載の電源管理チップに用いられる貯蔵装置。
【請求項７】
前記ドア７の前側に取手１０が設けられていることを特徴とする、請求項１に記載の電源管理チップに用いられる貯蔵装置。
【考案の詳細な説明】
【技術分野】
【０００１】
本考案は、チップ貯蔵分野に関し、詳しくは電源管理チップに用いられる貯蔵装置に関する。
【背景技術】
【０００２】
チップは、貯蔵・輸送過程において、車両等の交通機関が運行することにより、一定の振動力が発生し、さらに貯蔵装置を介してその中のメモリチップに損害を与え、その後の販売に影響する。従来技術には、チップの貯蔵・輸送に対して、通常、チップを直接ダンボールで包装して輸送するので、緩衝の効果が得られず、輸送で揺れる過程で、チップは衝突したり摩擦したりして、チップの破損を引き起こし、不必要な経済的損害をもたらしている。
【０００３】
このため、前記問題を解決するための通信制御チップは全社会が解決すべき技術的課題となっている。
【考案の概要】
【０００４】
前記技術的課題を解決するために、本考案は以下の技術的手段を提供する。貯蔵箱本体を備える電源管理チップに用いられる貯蔵装置であって、前記貯蔵箱本体の周りに緩衝装置が設けられており、前記緩衝装置は、接続フレームと、緩衝ばねとを備え、前記緩衝ばねの一端が貯蔵箱本体に接続され、他端が接続フレームに接続され、前記接続フレームが回字状構造を呈して設けられ、前記貯蔵箱本体の内部に幾つかのセパレータが設けられており、前記貯蔵箱本体とセパレータで幾つかの収容キャビティが形成され、前記収容キャビティの周りと後側にすべて中間層が設けられており、前記貯蔵箱本体の前側に、ヒンジ接合されるドアが設けられている電源管理チップに用いられる貯蔵装置。
【０００５】
さらに、前記貯蔵箱本体のそれぞれの面に４組の緩衝ばねが設けられている。
【０００６】
さらに、前記接続ばねの前後が開口状をなして設置される。
【０００７】
さらに、前記貯蔵箱本体のトップに提げ手が設けられている。
【０００８】
さらに、前記中間層がシリカゲルにより収容キャビティの内部に粘着される。
【０００９】
さらに、前記接続フレームの底部に支持ベースが設けられており、前記支持ベースが４組設けられ、シリカゲル材料で製作されてなる。
【００１０】
さらに、前記ドアの前側に取手が設けられている。
【００１１】
従来技術に比べ、本考案のメリットは以下の通りである。本考案は前記構造を用いることで、複数のチップを単独で収容でき、チップの表面に突出等の構造があることにより摩擦現象が発生することを防止でき、また、良い防振効果を収めることができる。周りにばねを設けることで、輸送過程で貯蔵箱本体の揺れに良い緩衝効果を収めることができる。その底部に支持ベースが設けられることで、良い滑り止め効果を収めることができる。収容キャビティの内部に中間層が設けられることで、チップの外面が摩擦されることを防止し、輸送過程での完全性を確保することができる。前記構造を設けることで、チップの輸送過程での破損を低減できるので、コストが低減し、実用性が強く、広く用いることを提案する。
【図面の簡単な説明】
【００１２】
【図１】本考案に係る電源管理チップに用いられる貯蔵装置の概略構成図である。
【図２】本考案に係る電源管理チップに用いられる貯蔵装置の正面図である。
【図３】本考案に係る電源管理チップに用いられる貯蔵装置の側面図である。
【図４】図３におけるＡ箇所の概略断面図である。
【図５】図４におけるＢ箇所の部分拡大図である。
【考案を実施するための形態】
【００１３】
添付図面を参照しながら、さらに本考案を詳しく説明する。
【００１４】
本考案は、具体的に実施する場合、貯蔵箱本体１を備える電源管理チップに用いられる貯蔵装置であって、前記貯蔵箱本体１の周りに緩衝装置が設けられており、前記緩衝装置は、接続フレーム２と、緩衝ばね３とを備え、前記緩衝ばね３の一端が貯蔵箱本体１に接続され、他端が接続フレーム２に接続され、前記接続フレーム２が回字状構造を呈して設けられ、前記貯蔵箱本体１の内部に幾つかのセパレータ４が設けられており、前記貯蔵箱本体１とセパレータ４で幾つかの収容キャビティ５が形成され、前記収容キャビティ５の周りと後側にすべて中間層６が設けられており、前記貯蔵箱本体１の前側に、ヒンジ接合されるドア７が設けられている電源管理チップに用いられる貯蔵装置を提供する。
【００１５】
前記貯蔵箱本体１のそれぞれの面に４組の緩衝ばね３が設けられている。前記接続ばね２の前後が開口状をなして設置される。前記貯蔵箱本体１のトップに提げ手８が設けられている。前記中間層６がシリカゲルにより収容キャビティ５の内部に粘着される。前記接続フレーム２の底部に支持ベース９が設けられており、前記支持ベース９が４組設けられ、シリカゲル材料で製作されてなる。前記ドア７の前側に取手１０が設けられている。
【００１６】
本考案の具体的な実施形態は下記の通りである。本考案は使用する場合、チップをそれぞれ単独で収容キャビティ５の内部に収容することができる。セパレータ４は各チップ間の中間層として用いられ、仕切る役割を果たす。ドア７を閉めて、輸送過程でガタガタする現象が現れると、貯蔵箱本体１は、緩衝ばね３の作用で、一定の緩衝作用を発揮することができる。接続フレーム２の前後が開口状を呈して、回字状構造で設けられ、構造が簡単である。収容キャビティ５の周りと後側にすべて中間層６が設けられていることで、チップの外面が摩擦されることを防止し、輸送過程での完全性を確保することができる。前記構造を設けることで、チップの輸送過程での破損を低減できるので、コストが低減し、実用性が強く、広く用いることを提案する。
【００１７】
本考案のさらなる説明として、支持ベース９を設けることで、一定の滑り止め効果を収めることができ、実用性が強く、できるだけ貯蔵箱本体１が輸送過程で滑り等の現象の発生を回避する。
【００１８】
本考案のさらなる説明として、提げ手８を設けることで、貯蔵箱本体１全体を持ち上げやすくなる。
【００１９】
本考案のさらなる説明として、取手１０を設けることで、ドア７を開けやすくなる。
【００２０】
以上、本考案及びその実施形態を説明したが、この説明は制限性を有せず、添付図面に示すのも本考案の実施形態の一つに過ぎず、実際の構造がこれに制限されるものではない。つまり、当業者であれば、その示唆を受けて、本考案の創造の旨を逸脱することなく、創造的な工夫をせずに設計した前記技術的手段と同様な構造方式及び実施形態は、すべて本考案の保護範囲に属すべきである。
【符号の説明】
【００２１】
１    貯蔵箱本体
２    接続フレーム
３    緩衝ばね
４    セパレータ
５    収容キャビティ
６    中間層
７    ドア
８    提げ手
９    支持ベース
１０    取手
【図１】
0003235544.tif 000003
【図２】
0003235544.tif 000004
【図３】
0003235544.tif 000005
【図４】
0003235544.tif 000006
【図５】
0003235544.tif 000007